(57)【特許請求の範囲】
【請求項１】
開閉部材をその開閉方向に案内するための開閉案内部材と、
前記開閉方向に移動可能に前記開閉案内部材に案内されるとともに、前記開閉部材が固定される移動部材と、
前記開閉部材を、前記開閉方向に往復移動させるための駆動源と、
前記開閉案内部材に対して所定の位置関係に固定され、前記駆動源にて回転駆動されるワイヤドラムと、
前記ワイヤドラムの一方の回転向きの回転に伴ってその一端が固定された状態で他端側がワイヤドラムに巻き取られるとともに、前記他端が前記移動部材に連結される第１ワイヤと、
前記ワイヤドラムの他方の回転向きの回転に伴ってその一端が固定された状態で他端側がワイヤドラムに巻き取られるとともに、前記他端が前記移動部材に連結される第２ワイヤと、
前記開閉案内案内部材に設けられ、前記第１ワイヤの他端側が前記ワイヤドラム側に巻き取られるに伴って前記移動部材が前記開閉方向の一方の向きに移動させるように、該第１ワイヤを前記移動部材に案内する第１案内部材と、
前記開閉案内部材に設けられ、前記第２ワイヤの他端側が前記ワイヤドラム側に巻き取られるに伴って前記移動部材が前記開閉方向の他方の向きに移動するように、該第２ワイヤを前記移動部材に案内する第２案内部材と
を備えた開閉部材駆動装置において、
前記移動部材には、前記第１ワイヤ又は第２ワイヤの他端を、該ワイヤに弛みがない状態で固定保持するワイヤ保持手段が設けられ、
前記ワイヤ保持手段は、前記第１ワイヤ及び第２ワイヤに対して張力を与えることで両ワイヤの延びを前記移動部材に取り込むばね部材と、延びを取り込んだ前記ばね部材の変位によって作動し、延びが取り込まれた前記ワイヤの他端を新たな位置で固定保持するラチェット機構とからなり、
前記ばね部材は、前記第１ワイヤ又は第２ワイヤを挿通させた状態で、外端が前記移動部材に対して固定された圧縮コイルばねであり、
前記ラチェット機構は、前記移動部材に対して固定され、前記開閉方向に延びる固定側爪列を備えた固定側ラチェット部材と、前記開閉方向に移動するように前記移動部材に保持され、前記固定側爪列に係止される可動側爪部を備えるとともに、前記圧縮コイルばねに挿通された前記第１ワイヤ又は第２ワイヤの他端が連結され、前記圧縮コイルばねが圧縮された状態でその内端が当接される可動側ラチェット部材とからなっている開閉部材駆動装置。
【請求項２】
前記可動側ラチェット部材は、前記可動側爪部としての可動側爪列が一体に形成された弾性材から形成されるとともに、該可動側爪列が前記固定側爪列に係止されるように弾性的に付勢するようにその形態が形成されている請求項１に記載の開閉部材駆動装置。
【請求項３】
前記可動側ラチェット部材は、前記可動側爪部としての可動側爪体と、該可動側爪体を前記前記固定側爪列側に付勢する付勢ばねとを備えている請求項１に記載の開閉部材駆動装置。
【発明の詳細な説明】
【０００１】
【発明の属する技術分野】
本発明は、例えば車両のドアのサイドガラス等の開閉部材を開閉駆動するためのワイヤ方式の開閉部材装置に関するものである。
【０００２】
【従来の技術】
上記のようなワイヤ方式の開閉部材駆動装置であるパワーウィンドウレギュレータには、例えば、特開平９−２５７６５号公報に開示されるものがある。このパワーウィンドウレギュレータは、図８に示すように、サイドガラスＧの昇降方向に延びるように設けられたガイド５０と、このガイド５０に沿ってその延長方向に移動可能に支持されたスライダベース５１とを備える。又、図示しないモータにて双方向に回転駆動されるドラム５２にはワイヤ５３ａ，５３ｂの各一端側がそれぞれ巻き掛けられている。そして、ワイヤ５３ａの他端は、ガイド５０の上端を介してスライダベース５１の上端に連結され、ワイヤ５３ｂの他端は、ガイド５０の下端を介してスライダベース５１の下端に連結されている。
【０００３】
モータが上昇側に回転動作すると、ガイド５０の上端を介してスライダベース５１に連結されているワイヤ５３ａがドラム５２に巻き取られるとともに、ガイド５０の下端を介してスライダベース５１に連結されているワイヤ５３ｂがドラム５２から繰り出される。その結果、ガイド５０に沿ってスライダベース５１が上昇動作し、サイドガラスＧが上昇する。反対に、モータが下降側に回転動作すると、ワイヤ５３ｂがドラム５２に巻き取られるとともにワイヤ５３ａがドラム５２から繰り出される。その結果、ガイド５０に沿ってスライダベース５１が下降動作し、サイドガラスＧが下降する。
【０００４】
ここで、ドラム５２とスライダベース５１とを接続しているワイヤ５３ａ，５３ｂに弛みがあると、上昇動作あるいは下降動作時に、ドラム５２の回転動作に対してスライダベース５１の昇降動作が遅れる状態が発生する。
【０００５】
即ち、上昇動作後には、図１０に示すように、ドラム５２から繰り出されたワイヤ５３ｂに弛みが生じる。この状態から、サイドガラスＧを下降動作させるためにドラム５２を反時計方向に回転させたとき、ワイヤ５３ｂに弛みがなくなるまではスライダベース５１が下降動作しない。同様に、下降動作後には、図１１に示すように、ドラム５２から繰り出されたワイヤ５３ａに弛みが生じる。この状態から、サイドガラスＧを上昇動作させるためにドラム５２を時計方向に回転動作させたとき、ワイヤ５３ａに弛みがなくなるまではスライダベース５１が上昇動作しない。
【０００６】
従って、例えば、運転者が、閉じているサイドガラスＧを、換気等のために少しだけ下降させようとして、ウィンドウスイッチを短い時間だけ下降側にスイッチ操作したときに、サイドガラスＧが、スイッチ操作と同時に下降動作せず、ワイヤ５３ａ，５３ｂの延び量に応じた時間だけ遅れて下降動作する。あるいは、開けているサイドガラスＧを、風の浸入を制限するためにウィンドウスイッチを短い時間だけ上昇側にスイッチ操作したときに、スイッチ動作と同時にサイドガラスＧが上昇動作せず、ワイヤ５３ａ，５３ｂの延び量に応じた時間だけ遅れて上昇動作する。即ち、サイドガラスＧの位置を少しだけ調整しようとする場合に、所望の位置に容易に調整することができない。
【０００７】
このような事態を防止するため、各ワイヤ５３ａ，５３ｂは、ドラム５２とスライダベース５１との間に弛みができないように所定の張力を持った状態で組み付けられている。上記のパワーウィンドウレギュレータでは、図８に示すように、ワイヤ５３ａ，５３ｂの各他端が、スライダベース５１上に設けられた金属性のワイヤエンドケース５４に係止されている。そして、各ワイヤ５３ａ，５３ｂには、図９に示すように、ワイヤエンドケース５４内に設けられたスプリング５５によって張力が付与され、弛みが発生しないようになっている。
【０００８】
【発明が解決しようとする課題】
ところが、ワイヤ５３ａ，５３ｂは、長期間の内に延びて当初の長さよりも長くなることがある。ここで、上記特開平９−２５７６５号公報のパワーウィンドウレギュレータでは、スライダベース５１のワイヤエンドケース５４内に設けられたスプリング５５によってワイヤ５３ａ，５３ｂの延びが吸収される。このため、ワイヤ５３ａ，５３ｂが当初の長さより長くなっても、ワイヤ５３ａ，５３ｂが弛みは発生しない。
【０００９】
しかしながら、ワイヤ５３ａ，５３ｂの延びを吸収したスプリング５５がワイヤ５３に与える張力は弱くなる。このため、ドラム５２の回転時に、ドラム５２に巻き取られる側のスプリング５５が弾性変形して、ワイヤ５３ａ，５３ｂがある程度巻き取られるまではスライダベース５１が移動しない状態が発生する。従って、このパワーウィンドウレギュレータにおいても、ドラム５２に巻き取られる側のワイヤ５３ａ，５３ｂに弛みがあるときと同様に、サイドガラスＧの位置を少しだけ調整しようとする場合に、所望の位置に容易に調整することができない問題が発生する。
【００１０】
本発明は、上記問題点を解決するためになされたものであって、その目的は、開閉部材を駆動するためのワイヤの延びによる開閉動作の遅れを解消することができる開閉部材駆動装置を提供することにある。
【００１１】
【課題を解決するための手段】
上記問題点を解決するため、請求項１に記載の発明は、開閉部材をその開閉方向に案内するための開閉案内部材と、前記開閉方向に移動可能に前記開閉案内部材に案内されるとともに、前記開閉部材が固定される移動部材と、前記開閉部材を、前記開閉方向に往復移動させるための駆動源と、前記開閉案内部材に対して所定の位置関係に固定され、前記駆動源にて回転駆動されるワイヤドラムと、前記ワイヤドラムの一方の回転向きの回転に伴ってその一端が固定された状態で他端側がワイヤドラムに巻き取られるとともに、前記他端が前記移動部材に連結される第１ワイヤと、前記ワイヤドラムの他方の回転向きの回転に伴ってその一端が固定された状態で他端側がワイヤドラムに巻き取られるとともに、前記他端が前記移動部材に連結される第２ワイヤと、前記開閉案内部材に設けられ、前記第１ワイヤの他端側が前記ワイヤドラム側に巻き取られるに伴って前記移動部材が前記開閉方向の一方の向きに移動させるように、該第１ワイヤを前記移動部材に案内する第１案内部材と、前記開閉案内部材に設けられ、前記第２ワイヤの他端側が前記ワイヤドラム側に巻き取られるに伴って前記移動部材が前記開閉方向の他方の向きに移動するように、該第２ワイヤを前記移動部材に案内する第２案内部材とを備えた開閉部材駆動装置において、前記移動部材には、前記第１ワイヤ又は第２ワイヤの他端を、該ワイヤに弛みがない状態で固定保持するワイヤ保持手段が設けられ、前記ワイヤ保持手段は、前記第１ワイヤ及び第２ワイヤに対して張力を与えることで両ワイヤの延びを前記移動部材に取り込むばね部材と、延びを取り込んだ前記ばね部材の変位によって作動し、延びが取り込まれた前記ワイヤの他端を新たな位置で固定保持するラチェット機構とからなり、前記ばね部材は、前記第１ワイヤ又は第２ワイヤを挿通させた状態で、外端が前記移動部材に対して固定された圧縮コイルばねであり、前記ラチェット機構は、前記移動部材に対して固定され、前記開閉方向に延びる固定側爪列を備えた固定側ラチェット部材と、前記開閉方向に移動するように前記移動部材に保持され、前記固定側爪列に係止される可動側爪部を備えるとともに、前記圧縮コイルばねに挿通された前記第１ワイヤ又は第２ワイヤの他端が連結され、前記圧縮コイルばねが圧縮された状態でその内端が当接される可動側ラチェット部材とからなっている開閉部材駆動装置である。
【００１４】
請求項２に記載の発明は、請求項１に記載の発明において、前記可動側ラチェット部材は、前記可動側爪部としての可動側爪列が一体に形成された弾性材から形成されるとともに、該可動側爪列が前記固定側爪列に係止されるように弾性的に付勢するようにその形態が形成されている。
【００１５】
請求項３に記載の発明は、請求項１に記載の発明において、前記可動側ラチェット部材は、前記可動側爪部としての可動側爪体と、該可動側爪体を前記前記固定側爪列側に付勢する付勢ばねとを備えている。
【００１６】
（作用）
請求項１に記載の発明によれば、駆動源によってワイヤドラムが回転駆動されると、第１ワイヤあるいは第２ワイヤのいずれか一方のワイヤの他端側がワイヤドラムに巻き取られるとともに、他方のワイヤの他端側がワイヤドラムから繰り出される。すると、第１及び第２ワイヤの各他端が接続されている移動部材が、開閉案内部材に沿って開閉方向のいずれかの向きに移動する。その結果、移動部材に固定されている開閉部材が開動作又は閉動作する。長期間の内に第１及び第２ワイヤが延びて当初の長さよりも長くなると、移動部材に設けられたワイヤ保持手段が、各ワイヤに弛みがない状態でその他端を固定保持するので、ワイヤドラムの動作に遅れることなく移動部材が動作する。
【００１７】
また、第１及び第２ワイヤの延びは、ばね部材によって移動部材に取り込まれ、延びが取り込まれたワイヤの他端が、新たな位置でラチェット機構によって固定保持される。その結果、各ワイヤに弛みがない状態で、その他端が固定保持される。従って、簡単な機構であるラチェット機構によって第１及び第２ワイヤの弛みが取り除かれる。
【００１８】
さらに、可動側ラェット部材は、可動側爪部が固定側爪列に係止することにより、固定側ラチェット部材に対し、保持しているワイヤの張力に抗して開閉方向の所定位置で固定保持される。第１ワイヤ又は第２ワイヤに延びが生じると、圧縮状態でワイヤの他端を移動部材側に付勢する圧縮コイルばねから可動側ラチェット部材に対し、ワイヤの延びを移動部材に取り込む向きの開閉方向の付勢力が加わり、この付勢力によって可動側ラチェット部材が、ワイヤに弛みを生じない向きに移動する。ワイヤの延びが取り込まれると、圧縮コイルばねの付勢力がワイヤの張力と釣り合う状態となって、圧縮コイルばねから可動側ラチェット部材に付勢力が加わらなくなり、可動側ラチェット部材の移動が停止して固定側ラチェット部材に保持される。そして、新たな位置に固定保持された可動側ラチェット部材によって、各ワイヤに弛みが無い状態でワイヤの他端が固定保持される。従って、ラチェット機構が直線動作で作動する簡単な構造となる。
【００１９】
請求項２に記載の発明によれば、請求項１に記載の発明の作用に加えて、弾性材で形成された可動側ラチェット部材は、その形態によって可動側爪列が弾性的に付勢されることで可動側爪列が固定側爪列に係止される。圧縮コイルばねによって可動側ラチェット部材が開閉方向にワイヤの延びを移動部材に取り込む向きに付勢されると、固定側爪列から可動側爪列が受ける反力によって可動側ラチェット部材の形態が弾性変形して可動側爪列が固定側爪列に係止されない状態となり、ワイヤに弛みが生じない向きに移動する。ワイヤの延びが取り込まれて圧縮コイルばねから付勢力が加わらなくなると、可動側ラチェット部材の移動が停止する。すると、可動側爪列が反力を受けなくなり、可動側ラチェット部材が弾性変形状態から復帰して可動側爪列が固定側爪列に係止される。その結果、延びが取り込まれたワイヤの他端を保持した可動側ラチェット部材が、新たな位置で固定側ラチェット部材に保持される。従って、可動側ラチェット部材が、別部品であるばね、爪部等からなる係止機構を備えることなく、弾性材によって一体で形成される。
【００２０】
請求項３に記載の発明によれば、請求項１に記載の発明の作用に加えて、可動側ラチェット部材は、その可動側爪体が付勢ばねによって固定側爪列側に付勢されることで可動側爪体が固定側爪列に係止する。圧縮コイルばねによって可動側ラチェット部材が開閉方向にワイヤの延びを移動部材に取り込む向きに付勢されると、固定側爪列から可動側爪体が受ける反力によって付勢ばねの付勢力に抗して可動側爪体が後退して固定側爪列に係止されない状態となり、可動側ラチェット部材がワイヤの弛みがなくなる向きに移動する。ワイヤに弛みがなくなって圧縮コイルばねから付勢力が加わらなくなると、可動側ラチェット部材の移動が停止する。すると、可動側爪体が反力を受けなくなり、付勢ばねの付勢力によって可動側爪体が突出して固定側爪列に係止される。その結果、延びが取り込まれたワイヤの他端を保持した可動側ラチェット部材が、新たな位置で固定側ラチェット部材に保持される。従って、可動側ラチェット部材が、簡単な機構で構成される。
【００２１】
【発明の実施の形態】
（第１の実施形態）
以下、本発明を車両のサイドガラス開閉用のパワーウィンドウレギュレータに具体化した第１の実施形態を図１〜図４に従って説明する。
【００２２】
図３に示すように、開閉部材駆動装置としてのパワーウィンドウレギュレータ１０は、開閉案内部材としてのガイドレール１１、移動部材としてのキャリアプレート１２、モータユニット１３及び第１、第２ワイヤ１４，１５等を備えている。
【００２３】
ガイドレール１１は、開閉部材としてのサイドガラスＧをその開閉方向としての昇降方向に案内するものであって、昇降方向に延びるように図示しない車両のドア内に設置されている。
【００２４】
ガイドレール１１には、移動部材としてのキャリアプレート１２が昇降方向に移動可能に案内されるとともに、サイドガラスＧの下部が固定されている。
モータユニット１３は、ガイドレール１１に対して所定の位置関係となるようにドア内に固定されている。
【００２５】
モータユニット１３は、サイドガラスＧを昇降方向に往復移動させるための駆動源としての電動モータ１６と、この電動モータ１６によって双方向に回転駆動されるワイヤドラム１７とが一体化されている。電動モータ１６は出力軸に図示しないウォームが固定され、ワイヤドラム１７の回転軸に固定された図示しないウォームホイールに歯合されている。
【００２６】
ワイヤドラム１７には、第１ワイヤ１４が巻き回されている。第１ワイヤ１４は、ワイヤドラム１７が図３における時計方向に回転駆動されるときに、その回転に伴って、その図示しない一端がワイヤドラム１７に固定された状態で他端側がワイヤドラム１７に次第に巻き取られるように設けられている。第１ワイヤ１４は、その他端１４ａがキャリアプレート１２の上端部に連結されている。
【００２７】
又、ワイヤドラム１７には、第２ワイヤ１５が巻き回されている。第２ワイヤ１５は、ワイヤドラム１７が図３における反時計方向に回転駆動されるときに、その回転に伴って、その図示しない一端がワイヤドラム１７に固定された状態で他端側が巻き取られるように設けられている。第２ワイヤ１５は、その他端１５ａがキャリアプレート１２の下端部に連結されている。
【００２８】
ガイドレール１１の上端には、第１ワイヤ１４の他端側がワイヤドラム１７に巻き取られるに伴ってキャリアプレート１２を昇降方向の上昇側に移動させるように、第１ワイヤ１４の他端側をキャリアプレート１２に案内する第１案内部材としての第１ガイドローラ１８等が設けられている。
【００２９】
又、ガイドレール１１の下端には、第２ワイヤ１５の他端側がワイヤドラム１７に巻き取られるに伴って、キャリアプレート１２を昇降方向の下降側に移動させるように、第２ワイヤ１５の他端側をキャリアプレート１２に案内する第２案内部材としての第２ガイドローラ１９が設けられている。
【００３０】
図２に示すように、キャリアプレート１２には、その裏面に第１ワイヤ１４の他端１４ａを係止する係止部２０が設けられている。係止部２０には、第１ワイヤ１４の他端１４ａが、キャリアプレート１２に対して移動しない状態で係止されている。
【００３１】
又、キャリアプレート１２の裏面には、第２ワイヤ１５の他端１５ａを係止するワイヤ保持部２１が設けられている。ワイヤ保持部２１は、ワイヤドラム１７とキャリアプレート１２との間における第１ワイヤ１４の弛み、及び、ワイヤドラム１７とキャリアプレート１２との間における第２ワイヤ１５の弛みがない状態で第２ワイヤ１５の他端１５ａを固定保持する。
【００３２】
ワイヤ保持部２１は、第２ワイヤ１５に対して張力を与えることで第２ワイヤ１５の延びをキャリアプレート１２に取り込むばね部材としての圧縮コイルばね２２と、延びを取り込んだ圧縮コイルばね２２の変位によって作動し、延びが取り込まれた第２ワイヤ１５の他端１５ａを固定保持するラチェット機構２３とを備えている。
【００３３】
詳述すると、図１に示すように、圧縮コイルばね２２は、第２ワイヤ１５の他端１５ａを挿通させた状態で、その外端がキャリアプレート１２の下端に設けられた係止片２４の内面に当接されている。
【００３４】
ラチェット機構２３は、一対の固定側ラチェット部材２５と、可動側ラチェット部材２６とからなる。両固定側ラチェット部材２５は、キャリアプレート１２の裏面に固定され、それぞれ昇降方向に延びる固定側爪列２７を備えている。
【００３５】
可動側ラチェット部材２６は、昇降方向にのみ移動するように、一対の固定側ラチェット部材２５、及び、ガイドレール１１の表面によって、キャリアプレート１２の裏面に保持されている。可動側ラチェット部材２６は、各固定側爪列２７にそれぞれ係止される一対の可動側爪列２８が一体に形成された弾性材としての合成樹脂によって形成されるとともに、各可動側爪列２８が各固定側爪列２７に係止されるようにそれぞれ弾性的に付勢するようにその形態が形成されている。又、可動側ラチェット部材２６には、第２ワイヤ１５の他端１５ａが連結されている。可動側ラチェット部材２６の下端には、圧縮コイルばね２２が圧縮された状態でその上端（内端）が当接されている。
【００３６】
即ち、固定側ラチェット部材２５は、可動側ラチェット部材２６の両側に可動側ラチェット部材２６を挟むように一対で設けられ、可動側ラチェット部材２６には、各固定側ラチェット部材２５の固定側爪列２７にそれぞれ係止される可動側爪部としての可動側爪列２８が一対で設けられている。
【００３７】
次に、以上のように構成されたパワーウィンドウレギュレータの作用について説明する。
図示しないパワーウィンドウスイッチの操作に基づいてコントローラがモータ１６を回転制御し、ワイヤドラム１７が図３における時計方向に回転駆動されると、ワイヤドラム１７に一端が固定された第１ワイヤ１４の他端側が次第に巻き取られるとともに、ワイヤドラム１７に一端が固定された第２ワイヤ１５の他端側がワイヤドラム１７から次第に繰り出される。すると、ガイドレール１１に設けられた第１ガイドローラ１８によって案内され、他端がキャリアプレート１２に連結されている第１ワイヤ１４と、第２ガイドローラ１９によって案内され、他端がキャリアプレート１２に連結されている第２ワイヤ１５とによってキャリアプレート１２が昇降方向に上昇する。その結果、キャリアプレート１２に固定されているサイドガラスＧが上昇してサイドウィンドウが閉じる。
【００３８】
又、モータ１６の回転制御によってワイヤドラム１７が反時計方向に回転駆動されると、第２ワイヤ１５の他端側が次第に巻き取られとともに、第１ワイヤ１４の他端側が次第に繰り出される。すると、キャリアプレート１２が昇降方向に下降する。その結果、キャリアプレート１２に固定されているサイドガラスＧが下降してサイドウィンドウが開く。
【００３９】
ここで、第２ワイヤ１５は、ワイヤ保持部２１の圧縮コイルばね２２によって張力が与えられた状態で、その他端１５ａがラチェット機構２３によって固定保持されている。
【００４０】
長期間の内に、第２ワイヤ１５が延びて当初の長さよりも長くなっても、キャリアプレート１２に設けられているワイヤ保持部２１が、第２ワイヤ１５に弛みがない状態で他端１５ａを固定保持するので、サイドガラスＧの閉動作後の開動作時に、ワイヤドラム１７の動作に遅れることなくキャリアプレート１２が下降動作する。
【００４１】
即ち、第２ワイヤ１５の延びは、第２ワイヤ１５に張力を与えているワイヤ保持部２１の圧縮コイルばね２２によってキャリアプレート１２に取り込まれる。そして、延びが取り込まれた第２ワイヤ１５の他端１５ａが、ラチェット機構２３によって新たな位置で固定保持される。その結果、第２ワイヤ１５に弛みがない状態で他端１５ａが固定保持される。
【００４２】
本発明は、従来のパワーウィンドウレギュレータと異なり、第２ワイヤ１５に弛みがない状態でその他端１５ａがワイヤ保持部２１に固定保持されるので、ワイヤドラム１７が回転したときに、キャリアプレート１２に取り込まれている第２ワイヤ１５が再び引き出されることがない。このため、ワイヤドラム１７の動作に遅れることなくキャリアプレート１２が下降動作する。
【００４３】
ワイヤ保持部２１の作用を詳述する。
可動側ラチェット部材２６は、可動側爪列２８が固定側爪列２７に係止されることにより、固定側ラチェット部材２５に対し、保持している第２ワイヤ１５の張力に抗して昇降方向の所定位置で固定保持される。
【００４４】
このとき、弾性材で形成された可動側ラチェット部材２６は、図４（ａ）に示すように、その形態によって可動側爪列２８が弾性的に付勢されることで可動側爪列２８が固定側爪列２７に係止される。
【００４５】
第２ワイヤ１５に延びが生じると、圧縮状態で第２ワイヤ１５の他端１５ａをキャリアプレート１２側に付勢する圧縮コイルばね２２から可動側ラチェット部材２６に対し、第２ワイヤ１５の延びをキャリアプレート１２に取り込む向きの昇降方向の付勢力が加わり、この付勢力によって可動側ラチェット部材２６が、第２ワイヤ１５に弛みを生じない向きに移動する。
【００４６】
このとき、圧縮コイルばね２２によって可動側ラチェット部材２６が第２ワイヤ１５の延びをキャリアプレート１２に取り込む向きに付勢されると、図４（ｂ）に示すように、固定側爪列２７から可動側爪列２８が受ける反力によって可動側ラチェット部材２６が弾性変形して可動側爪列２８が固定側爪列２７に係止されない状態となり、第２ワイヤ１５に弛みが生じない向きに移動する。
【００４７】
第２ワイヤ１５の延びが取り込まれると、圧縮コイルばね２２の付勢力が第２ワイヤ１５の張力と釣り合う状態となって、可動側ラチェット部材２６の移動が停止して固定側ラチェット部材２５によって固定保持される。そして、新たな位置に固定保持された可動側ラチェット部材２６により、第２ワイヤ１５に弛みがない状態でその他端１５ａが固定保持される。
【００４８】
このとき、第２ワイヤ１５の延びが取り込まれて圧縮コイルばね２２と釣り合う状態となって、可動側ラチェット部材２６の移動が停止する。すると、可動側爪列２８が固定側爪列２７から反力を受けなくなり、図４（ｃ）に示すように、可動側ラチェット部材２６が弾性変形状態から復帰して可動側爪列２８が固定側爪列２７に係止され、可動側ラチェット部材２６がその位置に固定保持される。
【００４９】
なお、本機構（ワイヤ保持部２１）を、第１ワイヤ１４側に設けることによって、第１ワイヤ１４の延びを吸収することができるため、開動作後の閉動作時、すなわち上昇動作時にもワイヤドラム１７の動作に遅れることなくキャリアプレート１２が上昇動作する。
【００５０】
以上詳述した本実施形態によれば、以下に記載の各効果を得ることができる。
（１）  ワイヤドラム１７にそれぞれ一端側が固定された状態でワイヤドラム１７の回転方向に応じていずれか一方が他端側が巻き取られるとともに他方の他端側が繰り出される一対の第１ワイヤ１４及び第２ワイヤ１５の他端１４ａ，１５ａが連結されているキャリアプレート１２に、第２ワイヤ１５に弛みがない状態でその他端１５ａを固定保持するワイヤ保持部２１を設けた。
【００５１】
従って、第２ワイヤ１５が延びて当初の長さより長くなっても、モータ１６の反転動作時に、モータ１６の動作に対して遅れることなくキャリアプレート１２が昇降動作する。その結果、第２ワイヤ１５の延びによる開動作の遅れを解消することができる。
【００５２】
（２）  ワイヤ保持部２１を、第２ワイヤ１５に対して張力を与えることで第２ワイヤ１５の延びをキャリアプレート１２に取り込む圧縮コイルばね２２と、延びを取り込んだ圧縮コイルばね２２の変位によって作動し、延びが取り込まれた第２ワイヤ１５の他端１５ａを新たな位置で固定保持するラチェット機構２３とから構成した。
【００５３】
従って、簡単な機構であるラチェット機構２３によって第２ワイヤ１５の弛みが取り除かれる。その結果、ワイヤ保持部２１を小さい体積内に設けることができ、従来のパワーウィンドウレギュレータにも装着することができる。
【００５４】
（３）  第２ワイヤ１５を挿通させるとともに外端（下端）をキャリアプレート１２の係止片２４に当接させた圧縮コイルばね２２によって第２ワイヤ１５に対して張力を与えることで延びをキャリアプレート１２に取り込むようにした。又、キャリアプレート１２に固定され、昇降方向に延びる固定側爪列２７を備えた固定側ラチェット部材２５と、昇降方向に移動可能にキャリアプレート１２に保持され、固定側爪列２７に係止される可動側爪列２８を備えるとともに、第２ワイヤ１５の他端１５ａが連結され、圧縮コイルばね２２が圧縮された状態でその内端（上端）が当接される可動側ラチェット部材２６とで、ラチェット機構２３を構成した。
【００５５】
従って、ラチェット機構２３が下降方向の直線動作で作動する構造となるので、第２ワイヤ１５の延びが円滑に取り込まれる。その結果、第２ワイヤ１５が確実に弛みがない状態で他端１５ａが固定保持されるので、第２ワイヤ１５の延びによる開動作の遅れを確実に解消することができる。
【００５６】
（４）  可動側ラチェット部材２６を、可動側爪列２８が一体に形成された弾性材から形成するとともに、可動側爪列２８が固定側爪列２７に係止されるように弾性的に付勢する形態に形成した。
【００５７】
従って、可動側ラチェット部材２６が、別部品であるばね、爪部等からなる係止機構を備えることなく、弾性材によって一体で形成されるので、部品点数及び組み立て工数を少なくすることができる。
【００５８】
（５）  固定側ラチェット部材２５を、可動側ラチェット部材２６の両側に可動側ラチェット部材２６を挟むように一対で設け、可動側ラチェット部材２６には、各固定側ラチェット部材２５の固定側爪列２７にそれぞれ係止される可動側爪列２８を一対で設けた。従って、可動側ラチェット部材２６の各可動側爪列２８が、各固定側ラチェット部材２５の固定側爪列２７に確実に係止されるので、可動側ラチェット部材２６が所定位置に確実に固定保持される。その結果、第２ワイヤ１５の延びによる開動作の遅れが確実に解消される。
【００５９】
（第２の実施形態）
次に、本発明を同じく車両のサイドガラス開閉用のパワーウィンドウレギュレータに具体化した第２の実施形態を図５〜図７に従って説明する。尚、本実施形態は、前記第１の実施形態のラチェット機構２３を、ラチェット機構３０に変更したことのみが第１の実施形態と異なる。従って、第１の実施形態と同じ構成については、符号を同じにしてその説明を省略し、ラチェット機構３０のみについて詳述する。
【００６０】
図５，６に示すように、ラチェット機構３０は、一対の固定側ラチェット部材３１と、可動側ラチェット部材３２とからなる。固定側ラチェット部材３１は、キャリアプレート１２の裏面に固定され、それぞれ昇降方向に延びる固定側爪列３３を備えている。
【００６１】
可動側ラチェット部材３２は、昇降方向に移動するように、一対の固定側ラチェット部材３１、及び、ガイドレール１１の表面によって、キャリアプレート１２の裏面に保持されている。可動側ラチェット部材３２は、それぞれが固定側爪列３３に係止される可動側爪部としての一対の可動側爪体３４と、各可動側爪体３４を各固定側爪列３３側に付勢する付勢ばねとしての圧縮コイルばね３５とを備えている。
【００６２】
又、可動側ラチェット部材３２には、第２ワイヤ１５の他端が連結されている。可動側ラチェット部材３２の下端には、圧縮コイルばね２２が圧縮された状態でその上端が当接されている。
【００６３】
次に、以上のように構成されたパワーウィンドウレギュレータの作用について説明する。
第２ワイヤ１５の延びは、第２ワイヤ１５に張力を与えているワイヤ保持部２１の圧縮コイルばね２２によってキャリアプレート１２に取り込まれる。そして、延びが取り込まれた第２ワイヤ１５の他端１５ａが、ラチェット機構２３によって新たな位置で固定保持される。その結果、第２ワイヤ１５が延びて当初の長さより長くなっても、第２ワイヤ１５に弛みがない状態でその他端１５ａが固定保持される。
【００６４】
ワイヤ保持部２１の作用を詳述する。
可動側ラチェット部材３２は、可動側爪体３４が固定側爪列３３に係止されることにより、固定側ラチェット部材３１に対し、保持している第２ワイヤ１５の張力に抗して下降方向の所定位置で固定保持される。
【００６５】
このとき、可動側ラチェット部材３２は、図７（ａ）に示すように、圧縮コイルばね３５によって付勢された各可動側爪体３４がそれぞれ固定側爪列３３に係止されることで、その位置に固定保持されている。
【００６６】
第２ワイヤ１５に延びが生じると、圧縮状態で第２ワイヤ１５の他端１５ａをキャリアプレート１２側に付勢する圧縮コイルばね２２から可動側ラチェット部材３２に対し、第２ワイヤ１５の延びをキャリアプレート１２に取り込む向きに下降方向の付勢力が加わり、この付勢力によって可動側ラチェット部材３２が、第２ワイヤ１５に弛みを生じさせない向きに移動する。
【００６７】
このとき、圧縮コイルばね２２によって第２ワイヤ１５の延びがキャリアプレート１２に取り込まれることで可動側ラチェット部材３２が昇降方向の上昇側に付勢されると、図７（ｂ）に示すように、可動側爪体３４が固定側爪列３３から受ける力によって可動側爪体３４が圧縮コイルばね３５の付勢力に抗して固定側爪列３３から離間して係止されない状態となり、第２ワイヤ１５の延びを取り込むまで昇降方向の上昇側に移動する。
【００６８】
第２ワイヤ１５の延びが取り込まれると、圧縮コイルばね２２の付勢力が第２ワイヤ１５の張力と釣り合う状態となって、可動側ラチェット部材３２の移動が停止する。そして、新たな位置に固定保持された可動側ラチェット部材３２によって、第２ワイヤ１５に弛みがない状態でその他端１５ａが固定保持される。
【００６９】
このとき、第２ワイヤ１５の延びが取り込まれて圧縮コイルばね２２から付勢力が加わらなくなると、可動側ラチェット部材３２の移動が停止する。すると、可動側爪体３４が固定側爪列３３から反力を受けなくなり、図７（ｃ）に示すように、各可動側爪体３４が圧縮コイルばね３５の付勢力によって各固定側爪列３３側に突出して係止され、可動側ラチェット部材３２がその位置に固定保持される。
【００７０】
以上詳述した本実施形態のパワーウィンドウレギュレータによれば、前記第１の実施形態における（１）〜（３），（５）に記載の各効果の他に以下に記載の効果を得ることができる。
【００７１】
（６）  可動側ラチェット部材３２には、可動側爪体３４と、この可動側爪体３４を固定側爪列３３側に付勢する圧縮コイルばね３５とを設けた。従って、可動側ラチェット部材３２が簡単な機構で構成されるので、部品点数及び組み立て工数が多くならないようにすることができる。
【００７２】
以下、上記実施形態以外の実施形態を列挙する。
・  上記各実施形態では、第１ワイヤ１４及び第２ワイヤ１５を別部材とし、各ワイヤ１４，１５の一端をそれぞれワイヤドラム１７に固定することで、ワイヤドラム１７が回転するときに、各ワイヤ１４，１５の一端が固定された状態で他端側が巻き取られるようにした。これを、ワイヤドラム１７との滑りを防止するためにゴルデワイヤなどを用いて、１本のワイヤの半分を第１ワイヤとし、残りの半分を第２ワイヤとしてもよい。
【００７３】
・  第１の実施形態では、固定側ラチェット部材２５をキャリアプレート１２の裏面に一対で設け、その間に可動側ラチェット部材２６を配置することで、可動側ラチェット部材２６を昇降方向に移動可能にキャリアプレート１２に保持するようにした。この構成に代えて、１つの固定側ラチェット部材を設けるとともに、この固定側ラチェット部材と協同して可動側ラチェット部材を昇降方向に移動可能にキャリアプレート１２に保持するための案内部を設けた構成としてもよい。
【００７４】
同様に、第２の実施形態で、一対の固定側ラチェット部材３１に代えて１つの固定側ラチェット部材を設けるとともに、この固定側ラチェット部材と協同して可動側ラチェット部材を昇降方向に移動可能にキャリアプレート１２に保持するための案内部を設けた構成としてもよい。
【００７５】
・  ラチェット機構を、キャリアプレート１２の裏面に固定され、第２ワイヤ１５の他端側を巻き取り可能なようにその他端１５ａが連結されたラチェットホイテールと、ラチェットホイールの周縁に設けられ、第２ワイヤ１５を巻き取る回転向きでの回転を許容し、第２ワイヤ１５を繰り出す向きでの回転を規制する爪部とからなる構成としてもよい。又、ばね部材は、例えばラチェットホイールを、第２ワイヤ１５を巻き取る回転向きに付勢するねじりコイルばねとする。
【００７６】
この構成であっても、ワイヤ保持部を小さい体積内に設けることができ、従来のパワーウィンドウレギュレータにも装着することができる。
・  第２ワイヤ１５の他端１５ａを固定保持するワイヤ保持部２１に加え、第１ワイヤ１４の他端１４ａを固定保持するワイヤ保持部をキャリアプレート１２に設けた構成としてもよい。
【００７７】
・  車両のドアのサイドガラス開閉用のパワーウィンドウレギュレータに限らず、その他、例えば、テールゲートガラスの開閉用、ルーフウィンドウ開閉用等の車両用パワーウィンドウレギュレータに実施してもよい。
【００７８】
また、マニュアル式のウィンドウレギュレータに実施してもよい。
・  車両用の各種ウィンドウ開閉用のウィンドウレギュレータに限らず、船舶用、列車用等の各種乗り物における各種ウィンドウ開閉用のウィンドウレギュレータに実施してもよい。
【００７９】
・  各種乗り物における各種ウィンドウ開閉用のウィンドウレギュレータに限らず、住宅、ビルディング、倉庫等の各種家屋の各種開閉部材用の開閉部材駆動装置に実施してもよい。
【００８０】
以下、前述した実施形態又は各別例から把握される技術的思想をその効果とともに記載する。
（１）  前記固定側ラチェット部材は、前記可動側ラチェット部材の両側に該可動側ラチェット部材を挟むように一対で設けられ、前記可動側ラチェット部材には、前記各固定側ラチェット部材の固定側爪列にそれぞれ係止される可動側爪列が一対で設けられている。このような構成によれば、可動側ラチェット部材が所定位置に確実に固定保持されるので、各ワイヤの延びによる開閉動作の遅れが確実に解消される。
【００８１】
【発明の効果】
各請求項に記載の発明によれば、ワイヤの延びによる開閉動作の遅れを解消することができる。また、駆動源の駆動量と、開閉部材の開閉位置とのずれを解消することができる。
【００８２】
また、弛みを取り除いた状態でワイヤの端部を固定保持する機構を小さい体積内に設けることができ、従来のパワーウィンドウレギュレータにも装着することができる。
【００８３】
さらに、ワイヤの弛みを確実に取り除くことができ、開閉動作の遅れを確実に解消することができる。
請求項２に記載の発明によれば、ワイヤを保持するラチェット機構の部品点数及び組み立て工数を少なくすることができる。
【図面の簡単な説明】
【図１】  第１の実施形態のキャリアプレートに設けられたワイヤ保持部を示す一部破断斜視図。
【図２】  係止部及びワイヤ保持部を示すキャリアプレートの背面図。
【図３】  ウィンドウレギュレータの概略正面図。
【図４】  （ａ）は作動前の状態を示すラチェット機構部の要部正面図、（ｂ）は作動中の要部正面図、（ｃ）は作動終了後の要部正面図。
【図５】  第２の実施形態のワイヤ保持部を示す一部破断斜視図。
【図６】  係止部及びワイヤ保持部を示すキャリアプレートの背面図。
【図７】  （ａ）は作動前の状態を示すラチェット機構部の要部正面図、（ｂ）は作動中の要部正面図、（ｃ）は作動終了後の要部正面図。
【図８】  従来のパワーウィンドウレギュレータの概略正面図。
【図９】  ワイヤエンドケースの断面図。
【図１０】  キャリアプレートの上昇動作後のワイヤの弛み状態を示すレギュレータの模式図。
【図１１】  キャリアプレートの下降動作後のワイヤの弛み状態を示すレギュレータの模式図。
【符号の説明】
１０…開閉部材駆動装置としてのパワーウィンドウレギュレータ、１１…開閉案内部材としてのガイドレール、１２…移動部材としてのキャリアプレート、１４…第１ワイヤ、１５…第２ワイヤ、１６…駆動源としての電動モータ、１７…ワイヤドラム、１８…第１案内部材としての第１ガイドローラ、１９…第２案内部材としての第２ガイドローラ、２１…ワイヤ保持部、２１…第１及び第２の実施形態におけるワイヤ保持手段を構成するばね部材としての圧縮コイルばね、２３…同じくラチェット機構、２５…ラチェット機構を構成する固定側ラチェット部材、２６…同じく可動側ラチェット部材、２７…固定側爪列、２８…可動側爪部としての可動側爪列、３０…第２の実施形態におけるワイヤ保持手段を構成するラチェット機構、３１…ラチェット機構を構成する固定側ラチェット部材、３２…同じく可動側ラチェット部材、３３…固定側爪列、３４…可動側爪部としての可動側爪体、３５…付勢ばねとしての圧縮コイルばね、Ｇ…開閉部材としてのサイドガラス。
【図１】
0004018321.tif 000002
【図２】
0004018321.tif 000003
【図３】
0004018321.tif 000004
【図４】
0004018321.tif 000005
【図５】
0004018321.tif 000006
【図６】
0004018321.tif 000007
【図７】
0004018321.tif 000008
【図８】
0004018321.tif 000009
【図９】
0004018321.tif 000010
【図１０】
0004018321.tif 000011
【図１１】
0004018321.tif 000012